(57)【要約】【課題】冷陰極管の着脱に際してはＺＩＦタイプと同様にそのガラス管や電極或いはその付け根にストレスを与えることが無いソケットでありながら、操作部を無用にして製造コストの安い冷陰極管用ソケットを提供する。【解決手段】冷陰極管３０の電極３１を挟持または解放する冷陰極管用ソケット５０であって、基板部５１と、基板部５１に設けられ、自然状態で電極３１の直径より小さな自然状態間隔であり、その間隔から互いに離間する方向に弾性変形可能な一対の接続部６０と、これら接続部６０に夫々形成された係止部６５と、これら係止部６５同士の間に挟まることで、接続部６０同士の間隔を電極３１の直径よりも大きな間隔に保持する係合部７４と、係合部７４を、係止部６５同士の間に挟まる係合位置とそこから離間する離間位置とに移動可能に支持するストッパ７０とを備え、上記基板部５１、接続部６０、係止部６５、係合部７４、ストッパ７０等が金属薄板を打ち抜き且つ折り曲げることで一体的に成形されたもの。【選択図】図４
2010140714.tif 000002
【特許請求の範囲】
【請求項１】
冷陰極管の電極を挟持または解放する冷陰極管用ソケットであって、
基板部と、
該基板部に設けられ、自然状態で上記電極の直径より小さな自然状態間隔であり、その間隔から互いに離間する方向に弾性変形可能な一対の接続部と、
これら接続部に夫々形成された係止部と、
これら係止部同士の間に挟まったとき、強制的に上記接続部同士の間隔を上記電極の直径よりも大きな間隔に保持する係合部と、
一端が上記基板部に他端が上記係合部に接続され、上記係合部を、上記係止部同士の間に挟まる係合位置とそこから離間する離間位置とに移動可能に支持すると共に上記係合位置の方向に弾性的に付勢するバネ力を持ったストッパとを備え、
上記基板部、接続部、係止部、係合部及びストッパが、金属薄板を打ち抜き且つ折り曲げることで一体的に成形された
ことを特徴とする冷陰極管用ソケット。
【請求項２】
上記基板部に設けられ、上記接続部に対向された正面壁と、
該正面壁にその上端から中程にかけて溝状に形成され、上記電極が挿通されると共にその溝底で上記電極を支持する電極受け部とを備えた
請求項１に記載の冷陰極管用ソケット。
【請求項３】
上記電極受け部に挿通された上記電極が上方に抜けることを防止するため、上記一対の接続部の一方に他方に向けて突出した突起を備えた
請求項２に記載の冷陰極管用ソケット。
【請求項４】
上記基板部に設けられ、上記係合部の過度な変位を防止するためのリミッタを上記係合部の直下に備えた
請求項２又は３に記載の冷陰極管用ソケット。
【発明の詳細な説明】
【技術分野】
【０００１】
本発明は、液晶ディスプレイにおいてバックライトとして使用される冷陰極管（Cold Cathode Fluorescent Lamp、以下ＣＣＦＬという）用のソケットに関するものである。
【背景技術】
【０００２】
例えば、液晶ＴＶのディスプレイは、特許文献１の図１０に示されている如く、拡散板、光学シート等からなる光学部材と反射板との間に、その光学部材を照射するバックライトとしてＣＣＦＬを複数本、平行に、近接配設して構成されている。
【０００３】
このＣＣＦＬは、そのガラス管の直径が1.8mm、2.0mm、2.2mm、2.6mm…5.0mmと言った極細のもので、極めて脆弱である。また、同ガラス管の両端部には夫々、リード線若しくは口金から成る電極が配設されており、この電極を電源に連なる基板に固着されたクリップ、即ちソケットに接続して導通するようになっている。このＣＣＦＬ用ソケットにＣＣＦＬを装着・抜去する際に、上記電極を介してガラス管及びにリード線電極の場合にはその付け根に大きなストレスが発生し易く、慎重な取り扱いが必須である。
【０００４】
上記ＣＣＦＬ用ソケットとして、ＺＩＦタイプのものとＮｏｎ−ＺＩＦタイプのものとの２種類が知られている。ＺＩＦタイプのＣＣＦＬ用ソケットは、例えば特許文献２の図１に記載されているように、ＣＣＦＬの電極を挟持する一対の接続部と、接続部を挟持状態又は解放状態に切り換えるべく回動する操作部とを備えていて、接続部の間に電極を無挿入力でセットした後、操作部を回動させて接続部で電極を挟持するものである。他方、Ｎｏｎ−ＺＩＦタイプのＣＣＦＬ用ソケットは、例えば特許文献３の図２に記載されているように、その接続部にＶ溝状の切欠部が形成されていて、その切欠部にＣＣＦＬの電極を押し込んで接続するものである。
【０００５】
【特許文献１】特開２００６−３５１５２７号公報
【特許文献２】特開２００８−０３４３３０号公報
【特許文献３】特開２００１−０４３７１５号公報
【発明の開示】
【発明が解決しようとする課題】
【０００６】
上記ＺＩＦタイプのＣＣＦＬ用ソケットは、開放された接続部の間にＣＣＦＬの電極を置き、次に操作部を作動させて同電極を接続部で挟持するものであるから、ＣＣＦＬの装着・抜去時、そのガラス管や電極にストレスが作用するようなことが殆どなく、自動機械でのＣＣＦＬの装着も容易である。その一方、同ソケットは回動可能な操作部を持たねばならず、且つそれによって接続部を変位させ得るようにする必要があって、部品点数が多く、且つ複雑な構造となるため、製造コストが高くなるという問題があった。
【０００７】
これに対しＮｏｎ−ＺＩＦタイプのＣＣＦＬ用ソケットは、操作部を持たず、且つ接続部の構造も極め簡単であることから、製造コストの面では優れているものの、ＣＣＦＬの装着・抜去時、接続部の弾性力に抗して電極を前記切欠部に押し込み又は引き抜かねばならない事から、そのガラス管や電極に大きなストレスを与え兼ねず、最悪の場合、電極の変形、ガラス管の破損、電極の付け根の損傷などに至る危惧さえあった。
【０００８】
以上の事情を考慮して創案された本発明の目的は、ＣＣＦＬの着脱に際してはＺＩＦタイプと同様にそのガラス管や電極或いはその付け根にストレスを与えることが無いソケットでありながら、前述した操作部を無用にして製造コストの安いＣＣＦＬ用ソケットを提供することにある。
【課題を解決するための手段】
【０００９】
上記目的を達成するために請求項１に係る発明は、冷陰極管の電極を挟持または解放する冷陰極管用ソケットであって、基板部と、該基板部に設けられ、自然状態で上記電極の直径より小さな自然状態間隔であり、その間隔から互いに離間する方向に弾性変形可能な一対の接続部と、これら接続部に夫々形成された係止部と、これら係止部同士の間に挟まったとき、強制的に上記接続部同士の間隔を上記電極の直径よりも大きな間隔に保持する係合部と、一端が上記基板部に他端が上記係合部に接続され、上記係合部を、上記係止部同士の間に挟まる係合位置とそこから離間する離間位置とに移動可能に支持すると共に上記係合位置の方向に弾性的に付勢するバネ力を持ったストッパとを備え、上記基板部、接続部、係止部、係合部及びストッパが、金属薄板を打ち抜き且つ折り曲げることで一体的に成形されたものである。
【００１０】
請求項２に係る発明は、上記基板部に設けられ、上記接続部に対向された正面壁と、該正面壁にその上端から中程にかけて溝状に形成され、上記電極が挿通されると共にその溝底で上記電極を支持する電極受け部とを備えたものである。
【００１１】
請求項３に係る発明は、上記電極受け部に挿通された上記電極が上方に抜けることを防止するため、上記一対の接続部の一方に他方に向けて突出した突起を備えたものである。
【００１２】
請求項４に係る発明は、上記基板部に設けられ、上記係合部の過度な変位を防止するためのリミッタを上記係合部の直下に備えたものである。
【発明の効果】
【００１３】
本発明によれば、ＣＣＦＬの着脱に際してはＺＩＦタイプと同様にそのガラス管や電極或いはその付け根にストレスを与えることが無いソケットでありながら、前述した操作部を無用にして製造コストの安いＣＣＦＬ用ソケットを提供できる。
【発明を実施するための最良の形態】
【００１４】
以下、本発明の好適実施形態を添付図面に基づいて説明する。
【００１５】
図１は、液晶ディスプレイの背面側の構成を中程辺りで切断した概略斜視断面図である。
【００１６】
１０は樹脂製の反射板、２０は金属製のフレーム、３０はバックライトとしてのＣＣＦＬ、４０は取付け用のビス、５０は金属薄板から成るＣＣＦＬ用ソケット（以下ソケット）である。
【００１７】
箱状のフレーム２０の上面には反射板１０が貼付され、同フレーム２０の左右端には上記ソケット５０が十対配設されている。図１では右方のソケット５０のみを示す。各対のソケット５０の間には、ＣＣＦＬ３０が夫々架け渡されている。図１ではソケット５０の形状を示すために、右端のＣＣＦＬ３０の１本の表記を省略している。なお、本実施形態ではソケット５０が十対でありそこに１０本のＣＣＦＬ３０がセットされる例を示したが、その数は液晶ディスプレイの大きさ等によって変更されることは勿論である。
【００１８】
また、本実施形態では、フレーム２０そのものがアースされていて、これに直接、ソケット５０をビス４０で固着することにより、このソケット５０もアースされている。他方、図示せぬ反対側のソケットは、高い電位を持つことになるから、同フレーム２０との間には的確な絶縁が必要となるが、本発明とは関係が無いので説明を省略する。
【００１９】
また、本実施形態では、片側１０個の上記ソケット５０が一連に接続して、即ち単一部品として形成されている。
【００２０】
図２は、図１のソケット５０を矢印Ａ側（正面側）から見た拡大斜視図であり、図３は、図１のソケット５０を矢印Ｂ側（裏面側）から見た拡大斜視図である。
【００２１】
ソケット５０は、フレーム２０に装着される基板部５１を有する。基板部５１には、フレーム２０に対して垂直に立ち上がった立脚部５２が形成されており、この立脚部５２は、基板部５１の長手方向の剛性を高める役割を果たしている。また、基板部５１には、ビス４０が挿通される穴状の取付部５３が形成されている。
【００２２】
ソケット５０は、ＣＣＦＬ３０の電極（リード線）３１を挟持（図４参照）または解放（図５参照）する一対の接続部６０を有する。接続部６０は、自然状態でその接触片６１同士が接する如き自然状態間隔であり、その間隔から互いに離間する方向に弾性変形可能となっている。詳しくは、接続部６０は、基板部５１から垂直に立ち上がった垂直部６４と、垂直部６４の上端から互いに近付くように水平方向に延出された水平部６３と、水平部６３の端部から上方に延出され実質的に上記電極３１を挟持する接触片６１と、接触片６１の上端から斜め上方に互いに離間するように延出された誘い込み部６２とを備えている。そして、接触片６１同士の間隔は、上記電極３１を挟持した状態ではその直径に等しい挟持間隔Ｃ１となり（図４参照）、また離間方向への強制力が作用した場合には垂直部６４及び接触片６１等が弾性変形することで、同電極３１の出入りが自由な解放間隔Ｃ２となることができる（図５参照）。
【００２３】
図４は、図３のソケット５０を矢印Ｃ方向から見た説明図であって、電極３１が接触片６１に挟持される状態、即ち上記挟持間隔Ｃ１の状態を示し、図５は、同説明図であって、接触片６１の間が大きく開かれていて同電極３１の自由な出入りが可能な解放間隔Ｃ２の状態を示す。
【００２４】
ソケット５０は、上記水平部６３の下面に夫々突設された係止部６５と、これら係止部６５同士の間に挟まることで、上記接触片６１同士の間隔を強制的に上記解放間隔Ｃ２に保持する係合部７４と、係合部７４を、係止部６５同士の間に挟まる係合位置（図５参照）とそこから下方に離間する離間位置（図４参照）とに移動可能に支持するストッパ７０とを備えている。
【００２５】
係止部６５は、水平部６３の上面を楔形の工具で一撃して凹ませ、同下面を楔状に突出させて形成されている（図６参照）。
【００２６】
係合部７４は、図３に示すように、略矩形の板体からなり、その左右の端面７５が係止部６５に係合されたとき、つかえ棒（閊え棒）の如く機能し、接触片６１同士の間隔を強制的に解放間隔Ｃ２に広げ、且つその状態（解放状態）を保持する。その状態から、係合部７４の左右の端面７５が係止部６５から下方に離脱されると、係合部７４の上記つかえ棒としての機能は失われ、接触片６１同士の間隔が接続部６０の弾性復元力によって狭まることになる。このとき、接触片６１の間に電極３１が介在すれば、電極挟持状態（挟持間隔Ｃ１）となる。勿論、電極３１の介在が無ければ、前述の接触片６１同士が接する自然状態となる。かかる係合部７４は、横倒しＵ字状に形成されたストッパ７０を介し、基板部５１に支持されている。
【００２７】
ストッパ７０は、帯状を呈していて、一端７１が基板部５１に他端７２が係合部７４に接続され、それらの間に湾曲部７３を有し、係合部７４を、係止部６５同士の間に挟まる前記係合位置とそこから下方に離間する前記離間位置とに移動可能に支持すると共に、係合部７４を上記係合位置の方向に弾性的に付勢するバネ機能を有する。
【００２８】
図５に示す上記係合位置において、ストッパ７０の他端７２若しく係合部７４を下方に押圧すると、その湾曲部７３が弾性変形して係合部７４が係止部６５から下方に離脱する。よって、接続部６０は、その弾性復元力により上記離間位置に変位し、前記解放間隔Ｃ２に大きく開いていた接触片６１同士の間を閉じんとする。このとき、その間に電極３１が挿通されていれば、その電極３１はこの接触片６１によって挟持される（挟持間隔Ｃ１）。なお、同電極３１が介在しない場合には、前記自然状態間隔となる。
【００２９】
その後、上記他端７２若しくは係合部７４の押圧を止めると、係合部７４は、ストッパ７０の弾性復元力により戻り、図４に示すように、前記離間位置で且つその上面が係止部６５の頂部に当接された状態となる。また、この図４の電極挟持状態または前記自然状態において、接触片６１同士の間隔を治具等で解放間隔Ｃ２以上に広げると、ストッパ７０の板バネ作用により上方に付勢されている係合部７４が、係止部６５同士の間に嵌り込み、その後、同治具等を取り去っても係合部７４は係止部６５の間に挟まったままとなり、図５の電極解放状態に戻る。
【００３０】
ここで、図５の電極解放状態からストッパ７０の他端７２または係合部７４を下方に押圧して図４の電極挟持状態に移行させる際に、上記押圧ストロークが大きすぎると、ストッパ７０が弾性変形域を超えて撓んでしまうことが考えられる。そこで、上記係合部７４の下方には、この係合部７４の変位量を制限するリミッタ７６が配設されている。
【００３１】
すなわち、図３から明らかなように、上記リミッタ７６は、基板部５１から垂直に立ち上がった垂直部と、垂直部の上端から水平方向に延出された水平部とを有し、押圧されて降下して来た係合部７４が水平部に当接することで、ストッパ７０の塑性変形を防止する。
【００３２】
また、図２、図３に示すように、ソケット５０は、基板部５１の立脚部５２から上方に延出された正面壁５４を備えている。正面壁５４は、一方の面が接触片６１に対向され、他方の面がＣＣＦＬ３０の端面と対向し、ＣＣＦＬ３０の長手方向の位置を定める。
【００３３】
また、ソケット５０は、正面壁５４の上端から中程にかけてＵ字溝状に形成された電極受け部５７を備えている。電極受け部５７は、接触片６１の位置に合わせて形成されており、その上部に逆ハ字状に開いたガイド部５６、中程に電極調芯突起５８、下部に電極３１の形状に合った円弧状の溝底５９を備えている。すなわち、電極受け部５７は、上部から下部にかけて、ガイド部５６、幅広部５７’、電極調芯突起５８、溝底５９から構成されている。
【００３４】
この電極受け部５７にＣＣＦＬ３０の電極３１が上方から挿通されると、電極３１は、ガイド部５６に案内されて電極３１の直径よりも十分に広い幅広部５７’に至り、電極調芯突起５８により調芯されて一対の接触片６１の略中央に位置付けされ、溝底５９で支持される。これにより、ＣＣＦＬ３０の並設方向の位置及び高さが定められる。
【００３５】
正面壁５４の両側には、側面壁５５が、正面壁５４と相俟って接触片６１の三方を囲うように、夫々直角に設けられている。これら側面壁５５及び正面壁５４により、接触片６１及びそれに挟持された電極３１が保護される。
【００３６】
図４、図５に示すように、ソケット５０は、一対の接触片６１の一方に他方に向けて突出した突起６６を備えている。
【００３７】
突起６６は、図４に示すように、接触片６１同士が挟持間隔Ｃ１となっている電極挟持状態では、電極受け部５７の溝底５９に支持された電極３１が上方に抜けることを防止し、図５に示すように、接触片６１同士が解放間隔Ｃ２となっている電極解放状態では、電極３１が上方に抜けることを許容する。
【００３８】
すなわち、突起６６の突き出し量は、電極挟持状態では、突起６６の先端と接触片６１との間隔が電極３１の直径よりも小さくなる突き出し量であって、電極解放状態では、突起６６の先端と接触片６１若しくは電極調芯突起５８との間隔が電極３１の直径よりも十分に大きくなる突き出し量に、設定されている。これにより、電極３１は、電極挟持状態では、溝底５９から上方に抜けることが突起６６により防止され、電極解放状態では、突起６６が問題とならず無抵抗で溝底５９と幅広部５７’との間を行き来できることになる。
【００３９】
上述した、基板部５１、接続部６０、係止部６５、突起６６、正面壁５４、電極受け部５７、リミッタ７６、係合部７４及びストッパ７０等を備えたソケット５０は、金属薄板を打ち抜き且つ折り曲げることで一体的に成形されている。
【００４０】
図６は、ソケット５０を成形するために金属薄板を打ち抜いてなる中間成形品８０を示す斜視図である。この中間成形品８０を適宜折り曲げることで、上述したソケット５０となる。図６中の符号は、折り曲げた後に相当する部分の符号である。
【００４１】
本実施形態の作用を述べる。
【００４２】
上述したソケット５０は、図１に示すように、フレーム２０にビス４０で装着される。このとき、ソケット５０は、図５に示すように、ストッパ７０に設けられた係合部７４が係止部６５の間に挟まってつかえ棒の機能を発揮する状態、即ち接触片６１同士が解放間隔Ｃ２になった電極解放状態となっている。
【００４３】
この電極解放状態のソケット５０の電極受け部５７に、上方からＣＣＦＬ３０の電極３１を挿通する。ここで、電極受け部５７にはガイド部５６及び幅広部５７’が、接触片６１には誘い込み部６２が夫々形成されており、接触片６１同士が解放間隔Ｃ２に広がっていて、突起６６と接触片６１、及び突起６６と電極調芯突起５８との間隔が電極３１の直径よりも十分に大きい状態となっているので、電極３１は、ガイド部５６から溝底５９まで、挿入力を全く要することなくスムーズに挿通される。この結果、電極は、自由落下の如く、突起６６と電極調芯突起５８との間を通って溝底５９に達し、一対の接触片６１の略中央に位置付けされる。
【００４４】
次に、作業者が自らの指で、或いは冶具を以って、若しくは自動機械がその機器で、ストッパ７０の他端７２若しくは係合部７４をリミッタ７６に向けて押し込む。ここで、他端７２及び係合部７４は、ＣＣＦＬ３０のガラス管とは正面壁５４を挟んで反対側に位置するので、それらを押し込む際に障害となるものは存在しない。他端７２若しくは係合部７４を押し込むことで、係合部７４が係止部６５から外れて下方に離脱し、係合部７４のつかえ棒としての機能が喪失する。すると、図４に示すように、接触片６１同士の間隔が、接続部６０の弾性復元力によって狭まり、そこに介在する電極３１が接触片６１で挟持され、ＣＣＦＬ３０のソケット５０への装着が完了する。
【００４５】
上記他端部７２または係合部７４を押し込むことで係止部６５との係合が解かれた係合部７４は、リミッタ７６に当接してその降下を阻止され、押し込み力が解除されると、ストッパ７０の湾曲部７３の弾性力によって復元し、図４に示すように、係合部７４の上面が係止部６５の頂部に押し当てられた状態に保持される。なお、他端７２または係合部７４とリミッタ７６との間には、係合部７４を係止部６５の間から離脱させるために必要十分な間隔が形成されている。
【００４６】
この電極挟持状態のとき、電極受け部５７の溝底５９に支持された電極３１の上方には、一方の接触片６１から延びた突起６６が位置付けされているので、仮にＣＣＦＬ３０を上方に引き抜く如き力が作用しても、この突起６６によって電極３１の離脱が阻止される。
【００４７】
ＣＣＦＬ３０をソケット５０から抜去する場合には、図７に示すように、接触片６１の間に上方から冶具Ｊを押し込み、接触片６１同士の間隔を解放間隔Ｃ２（図５参照）以上に広げる。これにより、係止部６５同士の間隔が係合部７４の幅よりも大きくなり、湾曲部７３の復元力によって図４に示すように係止部６５の頂部に押し当てられている係合部７４は、図７に示すように係止部６５同士の間に嵌り込む。
【００４８】
その後、冶具Ｊが取り除かれると、接続部６０の復元力により係止部６５同士の間隔が僅かに狭まり、図５に示すように、係合部７４が一対の係止部６５に挟持され、係合部７４は、前述のつかえ棒の機能を発揮するようになる。この結果、左右の接触片６１が解放間隔Ｃ２に保持され、電極３１を溝底５９から無抵抗で上方に抜き出すことが可能となる。
【００４９】
なお、図７に示すように、治具Ｊを接触片６１の間に挿入した状態のままでＣＣＦＬ３０を上方に取り外しても良いが、冶具Ｊが倒れてＣＣＦＬ３０に損傷を与え兼ねないことに鑑みれば、治具Ｊを取り除き係合部７４に再びつかえ棒の機能を発揮させる方が得策である。
【００５０】
以上説明したように本実施形態に係るソケット５０によれば、係合部７４のつかえ棒の機能を活用することで、前記操作部（特許文献２参照）を備えたＺＩＦタイプのソケットと同様に、接触片６１を解放状態から挟持状態に的確切り替えることができる。よって、ソケット５０にＣＣＦＬ３０をセットするに際し、そのガラス管や電極３１或いはその付け根にストレスを与えることは無い。
【００５１】
また、一旦、係合部７４のつかえ棒の機能を解除しても、冶具Ｊを接触片６１の間に押し込むこと等によって係合部７４がつかえ棒として機能する状態に復帰させることが出来るので、装着したＣＣＦＬ３０をソケット５０から抜去する際にも、そのガラス管や電極３１にストレスを与えることがない。
【００５２】
また、このソケット５０は、ＺＩＦタイプのソケットでは必須となる前記操作部（特許文献２参照）を持たないので、製造コストが低くなる。加えて、ソケット５０は、前述のように金属薄板を打ち抜き、折り曲げただけで成形しているので、前記特許文献２及び３のソケットが具備するソケットハウジングも要せず、さらに安価なソケットとすることができる。
【００５３】
また、ソケット５０は、金属薄板を打ち抜き折り曲げてなる単一部品であるので、複数部品を組み合わせて構成されるものに必須の資材管理、公差管理、数量管理、組立て管理等を要せず、以ってこの点からも安価なソケットとすることができる。
【００５４】
また、本実施形態では、１０個のソケット５０が一連に繋がった形態を備えており、ビス４０で数カ所フレーム２０に取り付けただけでその固着が完了し、且つ同時にアースされるので、組み立て効率に優れる（図１参照）。
【００５５】
本発明は、上記実施形態に限定されるものではない。
【００５６】
上記実施形態では、図５の状態からストッパ７０の係合部７４のつかえ棒の機能を解除する際には、作業者が自らの指で、或いは冶具を以って、若しくは自動機械がその機器で、ストッパ７０の他端７２若しくは係合部７４を押し込むと説明したが、ストッパ７０の他端７２若しくは係合部７４に解除レバーを一体成形し、その解除レバーを押し込むようにしても良い。
【００５７】
また、上記実施形態では、図４の状態からストッパ７０の係合部７４のつかえ棒の機能を復帰させる際には、一対の接触片６１の間に上方から冶具Ｊを押し込み、接触片６１同士の間隔を解放間隔Ｃ２以上に広げると説明したが（図７参照）、各接触片６１に夫々解除レバーを一体成形し、それら解除レバーを操作して接触片６１同士の間隔を広げるようにしてもよい。
【００５８】
また、上記実施形態では、ＣＣＦＬ３０の電極３１として、リード線の例をもって説明したが、勿論、これは口金であってもよい。また、電極受け部５７のガイド部５６、電極調芯突起５８は省略できる。
【図面の簡単な説明】
【００５９】
【図１】液晶ディスプレイの背面側の構成を中程辺りで切断した概略斜視断面図である。
【図２】図１のソケットを矢印Ａ側から見た拡大斜視図である。
【図３】図１のソケットを矢印Ｂ側から見た拡大斜視図である。
【図４】図３のソケットを矢印Ｃ方向から見た説明図であって、接触片同士が挟持間隔となっている電極挟持状態を示す。
【図５】同説明図であって、接触片同士が解放間隔となっている電極解放状態を示す。
【図６】上記ソケットを成形するために金属薄板を打ち抜いてなる中間成形品を示す斜視図である。
【図７】図４の電極挟持状態からＣＣＦＬを取り外す際の説明図である。
【符号の説明】
【００６０】
３０  冷陰極管（ＣＣＦＬ）
３１  電極
５０  冷陰極管用ソケット（ＣＣＦＬ用ソケット）
５１  基板部
５４  正面壁
５７  電極受け部
５９  溝底
６０  接続部
６５  係止部
６６  突起
７０  ストッパ
７１  一端
７２  他端
７４  係合部
７６  リミッタ
８０  金属薄板を打ち抜いて成る中間成形品
Ｃ１  挟持間隔
Ｃ２  解放間隔
【図１】
2010140714.tif 000003
【図２】
2010140714.tif 000004
【図３】
2010140714.tif 000005
【図４】
2010140714.tif 000006
【図５】
2010140714.tif 000007
【図６】
2010140714.tif 000008
【図７】
2010140714.tif 000009